(57)【要約】      （修正有）【課題】店頭の冷蔵又は冷凍陳列ケース内に商品に陳列する場合において、特に顧客に訴求したい商品を目立たせて陳列することができ、かつ冷凍庫内の他の商品の陳列を妨げることが少ない商品陳列台を提供する。【解決手段】商品を陳列する載支面を有する台板と一個の支持脚とを有し、さらに支持脚の上端に略水平に固定された断面略円形の水平軸と、台板の下側に固定され水平軸に対応する凹部をそれぞれ有する一対の支持部材と、水平軸を挟持しつつ支持部材を貫通して突出させた両端部にナットを螺着することにより水平軸を支持部材の凹部に入り込んだ位置に規制するＵ字ボルトと、水平軸の周面と凹部及びＵ字ボルトとの対向する領域に介装された略円筒形の樹脂摺動体からなる傾斜調節機構を備える。【選択図】図１
0003162891.tif 000002
【実用新案登録請求の範囲】
【請求項１】
冷蔵又は冷凍陳列ケースの内部で特定の商品を目立たせて陳列するための商品陳列台であって、商品を陳列する載支面を有する台板と一個の支持脚とを有することを特徴とする商品陳列台。
【請求項２】
前記支持脚が、水平板及び該水平板の上面に固定された中空円筒形の固定支柱と、前記水平軸及び該水平軸から下方に延び該固定支柱の上部開口に摺動自在に内嵌される垂直軸からなる可動支柱と、前記固定支柱の上端に固定されて前記可動支柱を任意の高さに固定する固定具とで構成されていることを特徴とする請求項１記載の商品陳列台。
【請求項３】
前記支持脚の上端に略水平に固定された断面略円形の水平軸と、前記台板の下側に固定され前記水平軸に対応する凹部をそれぞれ有する一対の支持部材と、前記水平軸を挟持しつつ前記支持部材を貫通して突出した両端部にナットを螺着することにより支持部材と結合し前記水平軸を支持部材の凹部に入り込んだ位置に規制するＵ字ボルトと、前記水平軸の周面と前記凹部及びＵ字ボルトとの対向する領域に介装された略円筒形の樹脂摺動体からなる傾斜調節機構を備えたことを特徴とする請求項１又は２記載の商品陳列台。
【請求項４】
前記台板の下側に載支面と並行する連結板が付設され、該連結板の上面に前記支持部材が上向きに突設され、前記Ｕ字ボルトの端部は前記支持部材と共に前記連結板を貫通して下側に突出していることを特徴とする請求項３記載の商品陳列台。
【請求項５】
前記台板の手前側の縁に、台板の上側に突出して商品の滑落を防止する滑落防止部材が設けられていることを特徴とする請求項３又は４記載の商品陳列台。
【請求項６】
前記台板の手前側の縁に、紙片を仮止めするためのホルダが設けられていることを特徴とする請求項１ないし５のいずれか１項に記載の商品陳列台。
【請求項７】
前記台板の後ろ側の縁に、前記水平軸と平行に延在する把持部が設けられ、さらに該把持部を把持する第一のクリップと板状部材を把持可能な第二のクリップを両端に備えた連結部材を装着したことを特徴とする請求項１ないし６のいずれか１項に記載の商品陳列台。
【考案の詳細な説明】
【技術分野】
【０００１】
本発明は、小売店の店舗内において生鮮食品・冷凍食品などを陳列する冷蔵又は冷凍陳列ケース内において、特に顧客に訴求したい少数の商品を目立たせて陳列するための商品陳列台に関する。
【背景技術】
【０００２】
小売店の店舗内において、生鮮食品・冷凍食品等を顧客が手に取りやすいように上部が開放され冷蔵・冷凍陳列ケースが広く用いられている。このような冷蔵・冷凍陳列ケースでは保冷したケース内になるべく多くの商品を陳列するため台一杯に商品を陳列し、商品の上や陳列ケースの前面に商品名称や価格を表示したカード状の情報媒体を掲示していた。
【０００３】
また店頭で特に顧客に訴求したい商品を単独で陳列するために、床置きの小型陳列台が用いられることがある。このような小型陳列台の台板の前後の傾斜を調節するための機構としては、伸縮可能な複数の脚部を用いるものや、１個の支柱の上端に台板を傾動自在に支持する関節部を設け、この関節部を蝶ねじ等により固定可能としておき、蝶ねじを緩めて台板を所望の角度だけ傾斜させ、再び蝶ねじを締めて固定するものが用いられていた。
【０００４】
実開昭５８−１００６５１号公報記載の考案は、陳列台のような物品受台、腰掛け等、物を載せたり体重を支える台板を最適な傾斜に調整するための傾斜装置において、支柱上端と台板との間に、水平な傾動軸で相互に連結された基体と傾動体からなる関節部を設け、前記傾動軸の周囲に台板が水平となる方向へ傾動体を付勢するばねを設けると共に、前記傾動体をばねの付勢力に抗して回動させつつ所望の傾斜角度において前記基体と係合して傾斜角度を固定することのできる枠状の操作体を設けることにより、操作性・安定性・経済性を向上させたものを開示している。
【特許文献１】実開昭５８−１００６５１号公報
【考案の開示】
【考案が解決しようとする課題】
【０００５】
従来の冷蔵・冷凍陳列ケース内の商品陳列においては、ケース内の商品の陳列効率を高めるために商品が一杯に陳列されるので、特定の商品に合わせたディスプレイをしたり、商品の詳細な情報を掲示することが難しかった。
【０００６】
また、従来の床置きの商品陳列台では、傾斜調節に脚部の伸縮や蝶ネジで固定可能な連結部が用いられてきたが、これは一方の手で台板の傾斜角度を調節しながら他方の手で台板の下方にある脚部や関節部の調整を行わねばならず、所望の傾斜角度を得ることが容易ではなく手間を要すると共に、勘に頼る部分もあった。実開昭５８−１００６５１号公報記載の考案では、重量物も載せることのできる比較的簡便で傾斜調節機構が開示されているが、大型の陳列台に付随して食品等の軽量な商品を陳列するための小型陳列台の構造としては、簡便さに欠けるものであった。
【０００７】
本考案は、店頭の冷蔵又は冷凍陳列ケース内に商品に陳列する場合において、特に顧客に訴求したい商品を目立たせて陳列することができ、かつ冷凍庫内の他の商品の陳列を妨げることが少ない展示手段を提供することを課題とする。また、商品本体と合わせてチラシ・ポップなどの情報媒体を見やすく展示できる展示手段を提供することを別の課題とする。
【０００８】
本考案はさらに、傾動式の台板を有する商品陳列台、具体的には台板を所望の傾斜角度で容易に固定することができ、構造が簡便で安価に製作できる傾斜調節機構を有する商品陳列台を提供することを別の課題とする。第一の課題とする。
【課題を解決するための手段】
【０００９】
請求項１記載の考案は、冷蔵又は冷凍陳列ケースの内部で特定の商品を目立たせて陳列するための商品陳列台であって、商品を陳列する載支面を有する台板と一個の支持脚とを有することを特徴とする商品陳列台により、上記の課題を解決する。支持脚を有する商品陳列台を冷蔵又は冷凍陳列ケースの内部に置くことにより、特に顧客に訴求したい商品を他の商品よりも高い位置に陳列して目立たせることができ、またこの載支面を一本の支持脚で支持することにより、冷凍庫内の他の商品の陳列の妨げとならないようにしている。
【００１０】
請求項２記載の考案は、請求項１記載の商品陳列台において、前記支持脚が、水平板及び該水平板の上面に固定された中空円筒形の固定支柱と、前記水平軸及び該水平軸から下方に延び該固定支柱の上部開口に摺動自在に内嵌される垂直軸からなる可動支柱と、前記固定支柱の上端に固定されて前記可動支柱を任意の高さに固定する固定具とで構成したものである。支持脚の高さを可変としたことにより、陳列ケースの陳列台より高い位置であっても商品が適温に保たれるように最適な高さに調整することを可能にしたものである。
【００１１】
請求項３記載の考案は、請求項１又は２記載の商品陳列台において、さらに前記支持脚の上端に略水平に固定された断面が略円筒形の水平軸と、前記台板の下側に固定され前記水平軸に対応する凹部をそれぞれ有する一対の支持部材と、前記水平軸を挟持しつつ前記支持部材若しくは台板の一部を貫通して突出させた両端にナットを螺着することにより支持部材と結合し前記水平軸を支持部材の凹部に入り込んだ位置に規制するＵ字ボルトと、前記水平軸の周面と前記凹部及びＵ字ボルトとの対向する領域に介装された略円筒形の樹脂摺動部からなる傾斜調節機構を備えたことにより、顧客が観察しやすい最適な傾斜に調整することを可能にしたものである。
【００１２】
商品陳列台の支持脚の上端に断面円筒形の水平軸が略水平に固定され、台板の下側には、水平軸の周面に対応する凹部を備えた一対の支持部材が（直接に又は他の付設構造を介して）設置されており、前記水平軸の背面側から水平軸を挟持するように配置されたＵ字ボルトを前記支持部材を貫通して反対側に突出させ、両端にナットを螺着することにより固定され、前記水平軸がＵ字ボルトと支持部材の凹部の間に回動可能に挟持された状態となる。さらに前記水平軸の周面と前記凹部及びＵ字ボルトとの対向する部分の間には適度の摩擦を有する柔軟な樹脂、例えばエポキシ樹脂からなる略円筒形の樹脂摺動部が介装されるので、台板を手で回動させることにより容易に台板の傾斜調節を行うことができ、手を離してもそのままの角度で維持される。
【００１３】
請求項４記載の考案は、請求項３記載の商品陳列台において、前記台板の下側に載支面と並行する連結板が付設され、該連結板の上面に前記支持部材が上向きに突設されており、前記Ｕ字ボルトの端部が前記支持部材と共に前記連結板を貫通して下側に突出することを特徴とする。すなわち前記水平軸を規制するＵ字ボルトの端部を連結板の下側へ突出させるので、下方より容易にナットを回して傾斜調節機構の摩擦力を調節することができる。
【００１４】
請求項５記載の考案は、請求項３又は４記載の商品陳列台において、前記台板の手前側の縁に、台板の上側に突出して商品の滑落を防止する滑落防止部材が設けられていることを特徴とするものである。商品の載支面を前方へ強く傾斜させた場合、商品が前方縁から滑落するおそれがあるので、それを防止するための滑落防止部材を設けたものであり、特に商品が箱型の形状を有する場合に有効である。この滑落防止部材の前面を下方の張り出した傾斜面として、その面に店舗のロゴマーク等を表示すれば、顧客に強い印象を与えることができ好ましい。
【００１５】
請求項５記載の考案は、上記請求項のいずれか１項に記載の商品陳列台において、前記台板の手前側の縁に紙片を仮止めするためのホルダを設けたことを特徴とするものである。前記水平軸と平行な第一の縁に仮止め用のホルダを設けて、商品チラシ等の情報媒体を台板から吊り下げて展示し、販売促進に役立てようとするものである。ホルダは下向きの溝部内に金属球体やひげ状部材を設け、溝部に挿入された紙片等が落下しないように一定の摩擦力を与えて保持する用具である。
【００１６】
請求項６記載の考案は、上記請求項のいずれか１項に記載の商品陳列台において、後ろ側の縁に、前記水平軸と平行に延在する把持部を設け、さらに該把持部を把持するクリップと板状部材を把持可能なクリップを両端に備えた連結部材を装着したことを特徴とするものである。板状部材を把持可能なクリップにボード上のポップ、ポップホルダー又はラミネート処理されたポップを把持させることにより、商品の背後にボード状の情報媒体を自立させて展示し、販売促進を図るものである。回動軸と平行な把持部をクリップで把持させて立設することにより、載支面の傾斜が変化しても見やすい角度へ容易に移動することができる。
【考案を実施するための最良の形態】
【００１７】
以下、図面を参照しながら、本考案の具体的な実施形態について説明する。
【実施例１】
【００１８】
図１は本考案の商品陳列台１の全体を示す。商品陳列台１の支持脚は、固定支柱２、可動支柱３及び固定具４から構成されている。固定支柱２は、床面等に設置される水平板２ａと、該水平板２ａの上面中央部から上方に立設された中空の支柱部２ｂとからなり、水平板２ａには収納の便宜のための切込２ｃが設けられている。可動支柱３は水平軸３ａとその中央部から下方に延設された垂直軸３ｂからなるＴ字状の構成を有し、垂直軸３ｂの下端が固定支柱２の支柱部２ｂの上方開口内に出没自在に嵌合され、支柱部２ｂの上端部に設けられた固定具３により任意の高さに固定されている。固定具３はレバー操作等により上下部材の固定・解放を行うことができる周知の部材である。
【００１９】
商品陳列台１の台板５は、上面に塗装が施された長方形の部材であり、下側に横木６，６’を介して合板製の連結板７、７が付設されている。可動支柱３の水平軸３ａは台板５、横木６，６’、連結板７，７で囲まれる空間内に横方向に延在し、連結板７，７の間の開口から垂直軸３ｂが下方に延びて固定具３及び固定支柱２と結合している。横木６’の中央部に設けられた切込６ａ’は、傾倒した垂直軸３ｂを受入れて台板の可動範囲を広げることにより収納時の効率を高めるものである。
【００２０】
台板５の手前側の縁には、商品陳列台１の左右方向に延在し、上端８ａが台板５の上方へ突出して商品の滑落を防ぐと共に、上端から前方にかけて顧客と正対する傾斜面８ｂを有する滑落防止部材８が設けられている。台板５の手前側の縁の下部には、横木９が固定され、その前面にチラシ等を吊り下げ展示するための仮止めホルダ１０が設けられている。台板６の後方側の縁の上部には、左右に突設された突起１１、１１を介して左右方向に延在する棒状の把持部１２が設けられ、その上に自立可能なボード状のポップ等を立設展示するための連結部材１３が装着される。連結部材１３は把持部１２を把持可能な第一のクリップ１３ａと板状部材を把持可能な第二のクリップ１３ｂを両端に備えた周知の部材である。
【００２１】
図２は本考案の傾斜調節機構の詳細を示す。台板５の下側に付設された連結板７，７の上面にはそれぞれ支持部材１４、１４が上向きに突設されている。支持部材１４は水平軸３ａの走行方向を横切るように設けられた鞍状の部材であって、上縁中央部に水平軸３ａの周面に対応する略Ｖ字状の凹部１４ａが設けられている。Ｕ字ボルト１５は両端部１５ａ、１５ａが下向きとなるように配置され、前記凹部１４ａ上に横架された水平軸３ａを内側に挟み込むようにして規制し、支持部材１４及び連結板７の対応する貫通孔（不図示）を通過して両端を連結板７の下面に突出し、それに螺着されたナット１６、１６により連結板７、支持部材１４、水平軸３ａを連結する。水平軸３ａの周面と支持部材の凹部１４ａ、Ｕ字ボルトの屈曲部内側の対向する領域には例えばエポキシ樹脂等の柔軟な材料からなる略円筒形の樹脂摺動体１７が介装されており、摩擦力により台板５側の組立体を一定の角度で保持するようになっている。樹脂摺動体１７は装着を容易にするため円筒形の一部を切り開いた形であっても良い。樹脂材料の摩擦力は当接する部材の材料によって変化するが、水平軸３ａの周面は比較滑らかであり支持部材の凹部１４ａに比べて摩擦力が小さいため、ナット１６、１６の締め強さを適宜に調整すれば、台板５の回動操作に従って樹脂摺動体１７が水平軸３ａに対して容易に回動し、手を離せば任意の位置で静止するような傾斜調節機構とすることができる。
【００２２】
本考案に係る商品陳列台は、冷蔵又は冷凍陳列ケースの内部に置いて、特定の商品を顧客から見やすいように陳列するのに用いられる。使用する際にはまず支持脚が台板５と略垂直になるように引き起こし、顧客の観察方向に向けて設置する。そして適当な数の商品を台板５上に陳列し、商品や店頭の状況に合わせて固定具３を操作して台板５の高さを調節し、台板５を前方に所望の角度だけ傾斜させて顧客から見やすいようにする。陳列ケース内に本商品陳列台を置いた場合、水平板２ａの上には他の商品を重ねて置くことができるので、立体的な陳列となり、商品の陳列効率を上げることができる。
【００２３】
さらに商品の説明などの情報を表示したチラシを商品陳列台１の前面の仮止めホルダ１０に吊り下げ、またボード状のポップ又はポップホルダー等を連結部材１３に挟着させて商品の背後に立設することにより、その商品の詳細な情報を顧客にわかりやすく訴求することができる。
【図面の簡単な説明】
【００２４】
【図１】本考案の実施例に係る商品陳列台に情報媒体を展示した状態の全体斜視図である。
【図２】図１の商品陳列台の台板の底面図である。
【図３】図１の商品陳列台の傾斜調節機構の一部を拡大した側面図である。
【符号の説明】
【００２５】
１  商品陳列台
２  固定支柱
２ａ  水平板
２ｂ  支柱部
３  可動支柱
３ａ  水平軸
３ｂ  垂直軸
４  固定具
５  台板
６、６’  横木
７、７  連結板
８  滑落防止部材
８ａ  上端
８ｂ  傾斜面
９  横木
１０  仮止めホルダ
１１、１１  突起
１２  把持部
１３  連結部材
１３ａ  第一のクリップ
１３ｂ  第二のクリップ
１４  支持部材
１４ａ  凹部
１５  Ｕ字ボルト
１５ａ、１５ａ  両端部
１６、１６  ナット
１７  樹脂摺動体
【図１】
0003162891.tif 000003
【図２】
0003162891.tif 000004
【図３】
0003162891.tif 000005
【手続補正書】
【提出日】平成22年7月16日(2010.7.16)
【手続補正１】
【補正対象書類名】実用新案登録請求の範囲
【補正対象項目名】全文
【補正方法】変更
【補正の内容】
【実用新案登録請求の範囲】
【請求項１】
冷蔵又は冷凍陳列ケースの内部で特定の商品を目立たせて陳列するための商品陳列台であって、商品を陳列する載支面を有する台板と一個の支持脚とを有することを特徴とする商品陳列台。
【請求項２】
支持脚が、水平板及び該水平板の上面に固定された中空円筒形の固定支柱と、水平軸及び該水平軸から下方に延び該固定支柱の上部開口に摺動自在に内嵌される垂直軸からなる可動支柱と、前記固定支柱の上端に固定されて前記可動支柱を任意の高さに固定する固定具とで構成されていることを特徴とする請求項１記載の商品陳列台。
【請求項３】
支持脚の上端に略水平に固定された断面略円形の水平軸と、台板の下側に固定され前記水平軸に対応する凹部をそれぞれ有する一対の支持部材と、前記水平軸を挟持しつつ前記支持部材を貫通して突出した両端部にナットを螺着することにより支持部材と結合し前記水平軸を支持部材の凹部に入り込んだ位置に規制するＵ字ボルトと、前記水平軸の周面と前記凹部及びＵ字ボルトとの対向する領域に介装された略円筒形の樹脂摺動体からなる傾斜調節機構を備えたことを特徴とする請求項１又は２記載の商品陳列台。
【請求項４】
台板の下側に載支面と並行する連結板が付設され、該連結板の上面に支持部材が上向きに突設され、前記Ｕ字ボルトの端部は支持部材と共に前記連結板を貫通して下側に突出していることを特徴とする請求項３記載の商品陳列台。
【請求項５】
台板の手前側の縁に、台板の上側に突出して商品の滑落を防止する滑落防止部材が設けられていることを特徴とする請求項３又は４記載の商品陳列台。
【請求項６】
台板の手前側の縁に、紙片を仮止めするためのホルダが設けられていることを特徴とする請求項１ないし５のいずれか１項に記載の商品陳列台。
【請求項７】
台板の後ろ側の縁に、該縁と平行に延在する把持部が設けられ、さらに該把持部を把持する第一のクリップと板状部材を把持可能な第二のクリップを両端に備えた連結部材を装着したことを特徴とする請求項１ないし６のいずれか１項に記載の商品陳列台。
【手続補正２】
【補正対象書類名】明細書
【補正対象項目名】００１０
【補正方法】変更
【補正の内容】
【００１０】
請求項２記載の考案は、請求項１記載の商品陳列台において、前記支持脚が、水平板及び該水平板の上面に固定された中空円筒形の固定支柱と、水平軸及び該水平軸から下方に延び該固定支柱の上部開口に摺動自在に内嵌される垂直軸からなる可動支柱と、前記固定支柱の上端に固定されて前記可動支柱を任意の高さに固定する固定具とで構成したものである。支持脚の高さを可変としたことにより、陳列ケースの陳列台より高い位置であっても商品が適温に保たれるように最適な高さに調整することを可能にしたものである。
【手続補正３】
【補正対象書類名】明細書
【補正対象項目名】００１５
【補正方法】変更
【補正の内容】
【００１５】
請求項６記載の考案は、上記請求項のいずれか１項に記載の商品陳列台において、前記台板の手前側の縁に紙片を仮止めするためのホルダを設けたことを特徴とするものである。前記水平軸と平行な第一の縁に仮止め用のホルダを設けて、商品チラシ等の情報媒体を台板から吊り下げて展示し、販売促進に役立てようとするものである。ホルダは下向きの溝部内に金属球体やひげ状部材を設け、溝部に挿入された紙片等が落下しないように一定の摩擦力を与えて保持する用具である。
【手続補正４】
【補正対象書類名】明細書
【補正対象項目名】００１６
【補正方法】変更
【補正の内容】
【００１６】
請求項７記載の考案は、上記請求項のいずれか１項に記載の商品陳列台において、後ろ側の縁に、該縁と平行に延在する把持部を設け、さらに該把持部を把持するクリップと板状部材を把持可能なクリップを両端に備えた連結部材を装着したことを特徴とするものである。板状部材を把持可能なクリップにボード上のポップ、ポップホルダー又はラミネート処理されたポップを把持させることにより、商品の背後にボード状の情報媒体を自立させて展示し、販売促進を図るものである。回動軸と平行な把持部をクリップで把持させて立設することにより、載支面の傾斜が変化しても見やすい角度へ容易に再調節することができる。